(57)【要約】      （修正有）【課題】収納物の大きさ、収納数量や、収納物の種類が制限されない吊り下げ収納具を提供する。【解決手段】吊り下げ部ｋと連結部ｆを有する薄板矩形状の吊り下げ部材Ｈと、袋状の収納部１１と上連結部１２と下連結部１３を有する薄板矩形状の収納部材１０とを備える吊り下げ収納具において、吊り下げ部材Ｈの連結部ｆと収納部材１０の上連結部１２との凹凸嵌合によって着脱自在に上下方向に連結されると共に、収納部材１０の下連結部１３は、袋状の収納部２１と上連結部２２と下連結部２３とを有する他の収納部材３０の上連結部２２との凹凸嵌合によって着脱自在に下方向に連結可能な吊り下げ収納具。【選択図】図１
0003134679.tif 000002
【実用新案登録請求の範囲】
【請求項１】
吊り下げ部を有する吊り下げ部材と、収納部を有する収納部材とを備える吊り下げ収納具において、前記吊り下げ部材と前記収納部材は着脱自在の連結部を介して上下方向に連結されると共に、前記収納部材は収納部を有する他の収納部材を着脱自在に下方向に連結可能な連結部を備えていることを特徴とする吊り下げ収納具。
【請求項２】
吊り下げ部と連結部を有する薄板矩形状の吊り下げ部材と、袋状の収納部と上連結部と下連結部を有する薄板矩形状の収納部材とを備える吊り下げ収納具において、前記吊り下げ部材の連結部と前記収納部材の上連結部との凹凸嵌合によって着脱自在に上下方向に連結されると共に、前記収納部材の下連結部は、袋状の収納部と上連結部と下連結部とを有する他の収納部材の上連結部との凹凸嵌合によって着脱自在に下方向に連結可能であることを特徴とする吊り下げ収納具。
【請求項３】
一の収納部材の収納部と他の収納部材の収納部とが、形状、大きさ又は数のうち少なくともいずれかにおいて異なることを特徴とする請求項１又は２に記載の吊り下げ収納具。
【請求項４】
少なくとも１以上の収納部材における１以上の収納部が、鍵等を引掛けて収納する突状部であることを特徴とする請求項１〜３に記載の吊り下げ収納具。
【請求項５】
吊り下げ部材の吊り下げ部が、貫通孔又は鉤状フックのいずれかであることを特徴とする請求項１〜４に記載の吊り下げ収納具。
【請求項６】
前記他の収納部材の下方に少なくとも１以上の収納部材を連結して少なくとも３以上の収納部材からなる吊り下げ収納具であって、前記各収納部材は、１個の収納部を有する収納部材、前記収納部材の収納部よりも底深の１個の収納部を有する収納部材、２個の収納部を有する収納部材、３個の収納部を有する収納部材からなる収納部材群のうちから異なる種類の収納部材を含むことを特徴とする請求項１に記載の吊り下げ収納具。
【考案の詳細な説明】
【技術分野】
【０００１】
本考案は、例えば壁面やクローゼット内部に吊り下げて使用される吊り下げ収納具に関する。
【背景技術】
【０００２】
従来、壁面やクローゼット内部に吊り下げて使用され、複数の収納部を備える吊り下げ収納具が存在する。
【特許文献１】特公平７−２４６１１号公報
【考案の開示】
【考案が解決しようとする課題】
【０００３】
しかし、吊り下げ収納具の大きさ、収納容量、各収納部の個数・種類（大きさや形状）が予め決められているため、収納物の大きさ、収納数量や、収納物の種類が制限されるという問題があった。
【課題を解決するための手段】
【０００４】
そこで、本考案は、吊り下げ部を有する吊り下げ部材と、収納部を有する収納部材とを備える吊り下げ収納具において、前記吊り下げ部材と前記収納部材は着脱自在の連結部を介して上下方向に連結されると共に、前記収納部材は収納部を有する他の収納部材と着脱自在に下方向に連結可能な連結部を備えていることを特徴とする吊り下げ収納具である（請求項１）
また、吊り下げ部と連結部を有する薄板矩形状の吊り下げ部材と、袋状の収納部と上連結部と下連結部を有する薄板矩形状の収納部材とを備える吊り下げ収納具において、前記吊り下げ部材の連結部と前記収納部材の上連結部との凹凸嵌合によって着脱自在に上下方向に連結されると共に、前記収納部材の下連結部は、袋状の収納部と上連結部と下連結部とを有する他の収納部材の上連結部との凹凸嵌合によって着脱自在に下方向に連結可能であることを特徴とする吊り下げ収納具である（請求項２）。
【０００５】
また、連結した複数の収納部材のそれぞれの収納部が、形状、大きさ又は数のうち少なくともいずれかが異なることを特徴とする吊り下げ収納具である（請求項３）。
【０００６】
また、少なくとも１以上の収納部材における１以上の収納部が、鍵を引掛けて収納する突状体であることを特徴とする請求項１〜４に記載の吊り下げ収納具である（請求項４）。
【０００７】
また、吊り下げ部材の吊り下げ部が、壁面に形成された突起物に係止する貫通孔又は棒状物に引掛ける鉤状フックのいずれかであることを特徴とする請求項１〜４に記載の吊り下げ収納具である（請求項５）。
【０００８】
本考案は、前記他の収納部材の下方に少なくとも１以上の収納部材を連結して少なくとも３以上の収納部材からなる吊り下げ収納具であって、前記各収納部材は、１個の収納部を有する収納部材、前記収納部材の収納部よりも底深の１個の収納部を有する収納部材、２個の収納部を有する収納部材、３個の収納部を有する収納部材からなる種類群のうちから異なる種類の収納部材を含むことを特徴とする吊り下げ収納具である（請求項６）。
【０００９】
すなわち、１個の収納部を有する収納部材、前記収納部材の収納部よりも底深の１個の収納部を有する収納部材、２個の収納部を有する収納部材、３個の収納部を有する収納部材の四種類の収納部材からなる収納部材群のうちから、例えば、少なくとも、１個の収納部を有する収納部材と、前記収納部材の収納部よりも底深の１個の収納部を有する収納部材とを含むものである。
【考案の効果】
【００１０】
本考案によれば、吊り下げ収納具の上下幅、各収納部の個数や種類（大きさや形状）を任意に選択して組み合わせることができるので、使用場所や収納物に対する制限が可及的に低減し、個々の使用者の要望に対応できる。
【考案を実施するための最良の形態】
【００１１】
以下、本考案の実施例を図１〜図５を参照しながら説明する。
【００１２】
本実施例に係る吊り下げ収納具は、図１、２に示すとおり、クローゼット内部のパイプ等に係止される鉤状のフック部Ｋを備える吊り下げ部材Ｈと、吊り下げ部材Ｈの下方に連結されると共に複数の収納部１１を備える第１収納部材１０と、第１収納部材１０の下方に連結されると共に底浅の収納部２１を備える第２収納部材２０と、第２収納部材２０の下方に連結されると共に底深の収納部３１を備える第３収納部材３０と、第３収納部材３０の下方に連結されると共に幅広の収納部４１ａと幅狭の収納部４１ｂを備える第４収納部材４０とからなる。
【００１３】
（吊り下げ部材Ｈ）
吊り下げ部材Ｈは、矩形状薄板からなる本体部の上側中央付近に鉤状のフック部（吊り下げ部）を形成し、前記本体部の下側付近には横方向に所定間隔で並列する連結凹（雌）部ｆが四箇所設けられている。
【００１４】
（第１収納部材１０）
第１収納部材１０は、吊り下げ部材Ｈの上下幅よりも長い上下幅と、吊り下げ部材Ｈの左右幅と略同一の左右幅を有する矩形状薄板である本体部からなり、前記本体部の上側付近には前記吊り下げ部材Ｈの連結凹部ｆに対応する連結凸（雄）部１２（上連結部）が四箇所設けられている。前記本体部の下側付近には後記第２収納部材２０の連結凸部２２に対応する連結凹部（下連結部）１３が四箇所設けられている。左右方向に並列する連結凸部１２群と連結凹部１３群の上下方向の間には、本体部の左右幅を均等に３分割した略同一の左右幅を有すると共に略同一の上下幅からなる３個の収納部１１が並列して形成されている。各収納部１１は上方に開口を有する袋状に形成される。また、各収納部１１は、その下側底端が前記本体部の下側付近に形成された連結凹部１３群に近接すると共に、各収納部１１の上側開口端は前記本体部の上側付近に形成された連結凸部１２群から所定間隔を隔てて形成される。
【００１５】
（第２収納部材２０）
第２収納部材２０は、第１収納部材１０と略同一の上下幅と左右幅を有する矩形状薄板からなる本体部からなり、第１収納部材１０と同様に、前記本体部の上側付近には、前記第１収納部材１０の連結凹部１３に対応する連結凸（雄）部２２（上連結部）が四箇所設けられている。また、前記本体部の下側付近には、後記第３収納部材３０の連結凸部３２に対応する連結凹部（下連結部）２３が四箇所設けられている。左右方向に並列する連結凸部２２群と連結凹部２３群の上下方向の間には、後記第３収納部材３０の収納部３１よりも底が浅く且つ前記本体部の左右幅と略同一の左右幅を有する収納部２１が形成され、収納部２１は上方に開口を有する袋状に形成される。また、収納部２１は、その下側底端は前記本体部の下側付近に形成された連結凹部２３群に近接すると共に、収納部２１の上側開口端は前記本体部の上側付近に形成された連結凸部２２群から所定間隔を隔てて形成される。
【００１６】
（第３収納部剤３０）
第３収納部材３０は、第１、２収納部材と略同一の上下幅と左右幅を有する矩形状薄板からなる本体部からなり、第１、２収納部材と同様に、前記本体部の上側付近には、前記第２収納部材２０の連結凹部２３に対応する連結凸（雄）部３２（上連結部）が四箇所設けられている。また、前記本体部の下側付近には、後記第４収納部材４０の連結凸部４２に対応する連結凹部（下連結部）３３が四箇所設けられている。左右方向に並列する連結凸部３２群と連結凹部３３群の上下方向の間には、前記第２収納部材２０の収納部２１よりも底が深く且つ前記本体部の左右幅と略同一の左右幅を有する収納部３１が形成され、収納部３１は上方に開口を有する袋状に形成される。また、収納部３１は、その下側底端が前記本体部の下側付近に形成された連結凹部３３群に近接すると共に、収納部３１の上側開口端は前記本体部の上側付近に形成された連結凸部３２群から所定間隔を隔てて形成される。
【００１７】
（第４収納部剤４０）
第４収納部材４０は、第１、２、３収納部材と略同一の上下幅と左右幅を有する矩形状薄板からなる本体部からなり、第１、２、３収納部材と同様に、前記本体部の上側付近には、前記第３収納部材３０の連結凹部３３に対応する連結凸（雄）部４２（上連結部）が四箇所設けられている。また、前記本体部の下側付近には、更に第５収納部材（図示しない）を連結する場合に使用するための連結凸部に対応する連結凹部４３（下連結部）が四箇所設けられている。左右方向に並列する連結凸部４２群と連結凹部４３群の上下方向の間には、左右幅の異なる収納部４１ａ，４１ｂが形成され、前記本体部の左右幅の略３分の２の左右幅を有する大収納部４１ａと、略３分の１の左右幅を有する小収納部４１ｂが形成される。小収納部４１ｂは上方に開口を有する袋状に形成され、大収納部４１ａは上方の開口を閉塞するファスナーを備える袋状に形成される。また、各収納部は、その下側底端は前記本体部の下側付近に形成された連結凹部４３群に近接すると共に、各収納部の上側開口端は前記本体部の上側付近に形成された連結凸部４２群から所定間隔を隔てて形成される。
【００１８】
（本実施例の効果）
本実施例によれば、まず、連結する収納部材の数を変更することができるので、収納スペースの広狭に応じて対応でき、また、必要な収納容量を任意に選択できる。さらに、各収納部材の収納部の個数や種類（大きさや形状）が異なるように組み合わせることができるので、多様な収納物を適切に収納できる。
【００１９】
より具体的には、第１収納部材１０の収納部１１には比較的小さな物を収納し、第２、３収納部材２０、３０の収納部２１、３１には比較的大きな物を収納し、とりわけ嵩の大きいものは第３収納部材の収納部３１に収納し、第４収納部材のファスナー付きの収納部４１には貴重品などを収納することができる。
【００２０】
（吊り下げ部材Ｈの選択）
上記実施例は主にクローゼット内のパイプに吊り下げる構造を示しているが、図３に示すように、壁面に打ち付けた釘頭やビス頭等に吊り下げるべく、矩形状薄板からなる本体部の上側左右両隅付近に前記本体部を厚さ方向に貫通する孔部ｈ（吊り下げ部）を穿孔し、前記本体部の下側付近に前記本体部の横方向に所定間隔で並列する連結凹（雌）部ｆ（連結部）が四箇所設けられている構成を選択することもできる。また、図示しないが、自動車の座席部背面やベビーカーの背面に吊り下げることも可能である。具体的には、例えば、一端と他端を面状ファスナー等で着脱自在とした細帯状体を、矩形状薄板からなる本体部の上側に形成したリング（環状体）に挿通してなる吊り下げ部とし、自動車の座席部とヘッドレスト部を連結する棒状体等に前記細帯状体を引っ掛けて、座席部の背面に沿うように吊り下げるものである。
【００２１】
なお、本実施例の吊り下げ部材には収納部を設けていないが設けるようにしても良い。
【００２２】
（他の態様の部材）
上記第１〜４収納部材１０、２０、３０、４０の態様のほか、図４に示すように、左右幅を小さくしたり、また、鍵の収納部ｔを備えるものを連結することもできる。この部材は矩形状薄板からなる本体部からなり、前記本体部の上側付近には連結凸（雄）部（上連結部）が、下側付近には連結凹（雌）部がそれぞれ二箇所設けられると共に、複数の突状部ｔが設けられており、各突状部ｔに鍵やキーホルダーを引掛けて収納することができる。
【００２３】
また、例えば図５のように、上下に連結された収納部材のうち、一方の収納部材を他方の収納部材よりも左右幅の小さな複数の収納部材に分割して形成し、該分割された複数の収納部材を並列させた状態で一方の収納部材に連結することもできる。すなわち、上下に連結される各収納部材のうち、一方の収納部材４０´を他方の収納部材３０よりも左右幅の小さな複数の収納部材４０´、４０´に分割して形成し、該分割された複数の収納部材４０´、４０´を並列させた状態で一方の収納部材３０に連結した吊り下げ収納具である。収納部材４０´、４０´は、開口を閉塞するファスナーを備える収納部４１ａ、収納部４１ｂを有する。他の収納部材と同様、本体部の上側付近には、連結凹部に対応する連結凸（雄）部４２´（２個）が設けられている。また、前記本体部の下側付近には、更に部材を連結する場合に使用するための連結凸部に対応する連結凹部４３´（２個）が設けられている。なお、収納部材を横方向に複数に分かれるように分割する個数は問わない。
【００２４】
本発明の連結部は凹凸嵌合によるものを示しているが、これに限るものではなく、例えば面状ファスナー等で着脱自在とすることもできる。また、連結部の数は適宜増減することができる。
【図面の簡単な説明】
【００２５】
【図１】本実施例の斜視図
【図２】本実施例の分解斜視図
【図３】他の実施例の斜視図
【図４】他の実施例の斜視図
【図５】他の実施例の分解斜視図
【符号の説明】
【００２６】
Ｈ  吊り下げ部材
１０  第１収納部材
２０  第２収納部材
３０  第３収納部材
４０  第４収納部材
１１、２１、３１、４１  収納部
１２、１３  連結部
【図１】
0003134679.tif 000003
【図２】
0003134679.tif 000004
【図３】
0003134679.tif 000005
【図４】
0003134679.tif 000006
【図５】
0003134679.tif 000007